(57)【要約】【課題】  被描画板に対して着色領域と非着色領域とを区画する描画線が付された描画シートにマスキングテープ等を切り絵や塗り絵のように貼付して、着色領域をマスキングテープの基材の色に着色するのに際し、マスキングテープが描画線を跨いで非着色領域にまで至るように貼付されて非着色領域にあるマスキングテープを切り取るのに際し、マスキングテープの下にある描画線を視認できない状態にあっても、マスキングテープを一旦剥がして描画線と着色領域との境界を視認するといった行程を経ることを必要としない描画シートを提供する。【解決手段】  本発明の描画シートは、板状物により形成された被描画板とその被描画板に設けられた着色領域と非着色領域とを区画するための描画線とを有し、被描画板や描画線はマスキングテープ等を貼り付けることが可能な材質により形成され、描画線は前記被描画板の一面からわずかに隆起するように形成されている。【選択図】図１
2017170736.tif 000002
【特許請求の範囲】
【請求項１】
板状物により形成された被描画板と、前記被描画板に設けられ、着色領域と非着色領域とを区画するための描画線と、を有し、
前記被描画板は、粘着剤が塗布された貼付物を貼り付けることが可能な材質によりに形成され、
前記描画線は、前記被描画板の一面から隆起するように前記被描画板に印刷された、
描画シート。
【請求項２】
前記描画線は、前記被描画板から０．１ミリメートル以上１．０ミリメートル以下の高さで隆起した、
請求項１に記載の描画シート。
【請求項３】
前記被描画板は合成樹脂材により形成された、
請求項１に記載の描画シート。
【請求項４】
前記描画線は前記被描画板に対してＵＶインキにより印刷されて成る、
請求項１乃至請求項３の何れかに記載の描画シート。
【請求項５】
前記被描画板は明度が高い色を有し、前記描画線は明度が低い色を有する、
請求項１乃至請求項４の何れかに記載の描画シート。
【発明の詳細な説明】
【技術分野】
【０００１】
本発明は、複数の貼付物を貼付して描画する描画シートに関する。
【背景技術】
【０００２】
塗装等の際に塗装しない箇所に塗料がはみ出して付着するのを防ぐために当該箇所に貼り付けて用いられる養生資材の一種である貼付物として、その基材が紙材により形成されたマスキングテープが知られている。
【０００３】
この他、マスキングテープは、テープ基材を形成する紙材の質感を活かして、装飾やラッピングに用いられたり、紙材にメモ書きしてそれを視認させたい箇所に貼り付けるといった目的で用いられたりしており、また、マスキングテープが基材に粘着力の弱い粘着剤が付されたものであれば、その粘着力の弱さを活かして仮止めテープとしても使われている。
【０００４】
近年、マスキングテープは、このような従来の使われ方に加えて、その基材に様々な色や絵柄が印刷されたものを用いてその美観を楽しむために目標物に貼り付ける雑貨／文房具としても知られている。
【０００５】
これに加え、マスキングテープの基材の色や模様を利用して描画の際の着色／着画に用いる、いわば塗り絵や切り絵の着色のように用いられる。
【０００６】
すなわち、前記被描画板とこれに設けられた着色領域と非着色領域とを区画するための描画線を有する描画シートにマスキングテープやシールのような貼付物を貼付して着色／着画するのに際し、描画線の内側の領域を着色領域とするなら、貼付物を、描画線が形成する一の領域内に隙間なく配して描画線からわずかにはみ出す程度の大きさを形成するように貼付したまま、描画線の内周に沿って切り取ってその領域の外に貼付された貼付物を剥がし、他の領域内に対してもこのような作業を繰り返すことで、複数の着色領域にそれぞれ貼付物の基材の色や模様が付されるという用途である。
【発明の概要】
【発明が解決しようとする課題】
【０００７】
貼付物をこのように用いる場合、貼付物の基材が厚いものであったりその色が濃いものであったりしたら、その様な貼付物を描画線を跨いで描画シートに貼付すると、当該貼付物に跨れた描画線を貼付物の上から視認することができなくなることから、そのように貼付したままでは、利用者はどの箇所にある貼付物を切り取ることが好適であるかを認識することが出来ないという課題が生じる。
【０００８】
本発明は、被描画板に対して複数の着色領域に区画する描画線が付された描画シートに貼付物を貼付して着色／着画するのに際し、描画線の上に貼付された貼付物を剥がすことなく、描画線の内側の領域を着色領域とするなら、描画線の内周に沿って切り取って内周の外に貼付された貼付物のみを剥がすことで、貼付物による被描画板への着色を容易に行うことが出来る描画シートを提供するものである。
【課題を解決するための手段】
【０００９】
本発明の描画シートは、板状物により形成された被描画板と、前記被描画板に設けられ、着色領域と非着色領域とを区画するための描画線と、を有し、前記被描画板および描画線は、粘着剤が塗布された貼付物を貼り付けることが可能な材質によりに形成され、前記描画線は、前記被描画板の一面から隆起するように前記被描画板に印刷された、描画シートである。
【００１０】
さらに、前記描画線は、前記被描画板から０．１ミリメートル以上１．０ミリメートル以下の高さで隆起したものである。
【００１１】
貼付物の基材が厚いものであったりその色が濃いものであったりすると、その様な貼付物を描画線の上に貼付すると、利用者は、貼付物の下の描画線を貼付物の上から視認することはできないが、描画線が被描画板からわずかに隆起していれば、貼付物が描画線の隆起に応じて隆起していることを認識することはできるから、それにより着色領域を認識することはできる。
【００１２】
描画線が隆起する高さは、利用者が、貼付物が貼られることでその箇所の描画線を視認できないときに、その箇所の貼付物を自らの手指などで触れることで描画線の位置を認識できる程度であればよく、さらに、描画線の隆起量が大きすぎると描画シートの美観を損なうことから、好適な隆起量、すなわち被描画板から描画線の頭頂部までの距離を０．１ミリメートル以上１．０ミリメートルとした。
【００１３】
前記被描画板は合成樹脂材により形成されている。
【００１４】
被描画板を形成する合成樹脂材は、ポリエチレンテレフタラート、ポリプロピレン、ポリ塩化ビニルなどから、被描画板の大きさや厚さ、描画線の量／長さなどの条件から好適なものが選択されればよく、さらに、被描画板は、合成樹脂材によらず、被描画板に文字や絵を書くことを可能とするために紙材により形成されてもよい。
【００１５】
前記描画線は前記被描画板に対してＵＶインキにより印刷されて成る。
【００１６】
つまり、描画線は、被描画板に対して、紫外線を照射することにより硬化して乾燥するＵＶインクを厚盛にして、シルクスクリーン印刷やオフセット印刷により形成されるが、他のインクであっても、それを複数層に重畳させて印刷することでその印刷箇所が被描画板の一面から隆起するのであれば、採用されるべきインクはＵＶインクに限られない。
【００１７】
さらに、このような方法に限られず、被描画板に対して描画線が隆起するのであれば、描画線は、これを形成するインクが乾く前にそのインクに樹脂パウダーを付着させ、これに熱を加えることで樹脂パウダーが溶けて隆起する、いわゆる浮き出し印刷により形成されても良く、さらに、被描画板が紙材により形成されるなら、描画線が隆起するように凹凸が形成された型（例えば金型）で被描画板を両面から挟むことで形成されてもよい。
【００１８】
前記被描画板は明度が高い色を有し、前記描画線は明度が低い色を有している。
【００１９】
つまり、被描画板が白や無色透明と視認されるように形成されるのであれば、描画線は黒やそれに近い色であればよい。
【００２０】
この他、被描画板や描画線の色がそれぞれ彩度を有するものであるなら、それらの色は互いに補色の関係となるものが選択されてもよい。
【００２１】
このように、被描画板と描画線とが明らかに異なる色を有するように形成されることで、利用者が貼付物を被描画板の着色領域に貼付しようとするとき、着色領域と非着色領域とを明確に区別して視認することが出来る。
【発明の効果】
【００２２】
本発明によれば、被描画板に対して複数の着色領域に区画する描画線が付された描画シートに貼付物を貼付して着色／着画するのに際し、貼付物を描画線が形成する領域内に隙間なく配されて描画線からはみ出す程度の大きさを形成するように貼付したまま、貼付物の下に位置する描画線を視認できなくてもその内周に沿って切り取って内周の外に貼付された貼付物を剥がすことが可能である。
【００２３】
さらに、被描画板はポリエチレンテレフタラートなどの合成樹脂材により形成され、描画線はＵＶインキで印刷されることにより形成されているから、貼付物の粘着剤がアクリル系エマルジョンタイプのものから成るなら、そのような貼付物は被描画板に対しても描画線に対しても貼ったり剥がしたりすることが容易である。
【図面の簡単な説明】
【００２４】
【図１】貼付物が貼付された描画シートを示す平面図。
【図２】貼付物が貼付されていない描画シートを示す平面図。
【図３】Ａ−Ａ断面図。
【図４】Ｂ−Ｂ断面図。
【図５】着色領域の外に貼付された貼付物を剥がす手順を示す平面模式図。
【図６】着色領域の外に貼付された貼付物を剥がす手順を示す断面模式図。
【発明を実施するための形態】
【００２５】
図１に示される描画シート１は、被描画板１１に付された描画線１２によりその内側に区画された領域を着色領域１３として、そこに基材に色や模様（図示しない。）が付された貼付物２を貼付することによって、着色領域１３に貼付物２の基材の色や模様を付したものであり、図３はその断面図である。
【００２６】
このように色や模様を付すのであれば、その色や模様は１種類のものに限られる必要は無く、着色領域１３に様々な色や模様の貼付物を貼付すれば、着色領域１３の内側に複雑な模様を描くことが出来る。
【００２７】
貼付物が貼付されていない状態の描画シート１を示す図２及びその断面図である図４に示されるように、被描画板１１において、描画線１２によって着色領域１３と非着色領域１４とが区画されているから、着色領域１３に貼付物２を貼付して色や模様を付すなら、描画線１２をそのガイド線として用いればよい。
【００２８】
次に、図５を用いてその行程について説明する。なお、図６は図５の状態と同様の状態を示す断面図であり、その説明は図５におけるそれと同様であるから、図６を用いた行程の説明を省略する。
【００２９】
具体的には、まず、図５（ａ）に示されように、貼付物２を着色領域１３の内側から描画線１２を跨いで被着領域１４に至るように貼付し、次に、図５（ｂ）に示されるように、貼付物２において描画線１２と着色領域１３との境界近傍に位置する部分に図示しないカッター等を用いて切込線２１を設け、着色領域１３の外側に位置する貼付物２を被描画板１１や描画線１２から剥がして切込線２１から離脱させることで、図５（ｃ）に示される貼付物２が着色領域１３の内側に収まった状態を実現する。
【００３０】
このような行程において、被描画板１１と描画線１２の頭頂面とが同一面に位置する、すなわち描画線１２が被描画板１１の一面から隆起していなければ、図５（ａ）に示されるように貼付物２の上からその下に位置する描画線１２を視認することが困難であることから、貼付物２を剥がすことなく描画線１２と着色領域１３との境界を見つけ出すことは容易ではなく、そのことにより誤った位置に切込線２１を設けてしまうことで、貼付物２が、描画線１２の上に貼付された状態で残ったり、更に非着色領域１４にまで至って貼付されていたり、それらとは逆に描画線１２と着色領域１３との境界よりも内側に位置してしまったりといった不成功が考えられる。
【００３１】
これに対し、本発明の描画シート１は、図６に示されるように描画線１２が被描画板１１の一面から隆起するように形成されているから、図５（ａ）に示されるように貼付物２の上からその下に位置する描画線１２を視認することが困難である状態であっても、利用者が自らの手指でその箇所に触れることで描画線１２と着色領域１３との境界を認識することが出来るから、切込線２１を設ける前に貼付物２を一旦剥がして描画線１２と着色領域１３との境界を視認するといった行程を経ることを必要としない。
【００３２】
なお、説明の都合上、各図において視認される描画線１２の内側を貼付物２が貼られるべき領域を着色領域１３とし、貼付物が貼付されない又は貼付されたとしたらそれが取り除かれるべき領域を非着色領域１４をその外側としたが、このような関係に限られる必要は無く、描画線１２の外側、すなわち被描画版１１の端部から描画線１２の外周に至る領域を着色領域１３とするとともに描画線１２の内側を非着色領域１４としてもよいし、描画線１２の外側と描画線１２の内側とをともに着色領域１３として描画線１２を非着色領域１４としてもよい。
【００３３】
被描画板１１はポリエチレンテレフタラートなどの合成樹脂材により形成され、その上にＵＶインクを被描画板１１の一面から隆起する程度に厚くシルクスクリーン印刷やオフセット印刷を施すことで描画線１２が形成されるが、このような材質及び方法により描画シート１が形成されるため、貼付物２の粘着剤がアクリル系エマルジョンタイプのものから成るなら、そのような貼付物２は被描画板１１に対しても描画線１２に対しても貼ったり剥がしたりすることが容易である。
【００３４】
しかし、描画線１２が被描画板１１の一面から隆起するように形成されるなら、描画線１２はシルクスクリーン印刷やオフセット印刷によらずに形成されてもよく、さらに、貼付物２が描画線１２に対して貼ったり剥がしたりすることが容易であることが実現されるのであれば、描画線１２はＵＶインクではない材質によりに形成されてもよい。
【００３５】
また、描画線１２が被描画板１１の一面から隆起するように形成されるなら、描画線１２は、これを形成するインクが乾く前にそのインクに図示しない樹脂パウダーを付着させ、それに熱を加えることで樹脂パウダーが溶けて隆起する、いわゆる浮き出し印刷により形成されても良く、さらに、被描画板１１が紙材により形成されるなら、描画線１２が隆起するように凹凸が形成された図示しない型（例えば金型）で被描画板１１を両面から挟むことで形成されてもよい。
【００３６】
これに加え、図示しないが、被描画板１１の色と描画線１２の色とが、それらが明らかに明度が異なる色同士であったり、互いに補色の関係となるものであったりすれば、利用者が貼付物２を被描画板１１の着色領域１３に貼付しようとするとき、着色領域１３と非着色領域１４とを明確に区別して視認することが出来る。
【符号の説明】
【００３７】
１  描画シート
１１  被描画板
１２  描画線
１３  着色領域
１４  非着色領域
２  貼付物（マスキングテープ）
２１  切込線
【図１】
2017170736.tif 000003
【図２】
2017170736.tif 000004
【図３】
2017170736.tif 000005
【図４】
2017170736.tif 000006
【図５】
2017170736.tif 000007
【図６】
2017170736.tif 000008